(57)【要約】  【課題】システムキッチンにおいてシンク下を有効に活用し、食品詰め込み時にも風路を確保し、収納ケース内全体の冷却効率を高める。  【解決手段】システムキッチンの最下段の収納スペースに冷蔵庫を設置するもので、収納部１５と左右どちらかに機械室１６を配設し、収納ケース１５Ａの四隅と庫内攪拌用ファンモータ前面に冷気循環穴１５Ｂを設け、収納ケース１５Ａ内部に仕切り１５Ｃを設けることで、食品詰め込み時にも収納ケース１５Ａ内部の風路を確保し、全体に冷気を行き渡らせることができる。また、仕切り１５Ｃを前後方向に移動可能とすることで、収納ケース１５Ａ内の食品を整理して収納することもできる。【選択図】図２
2006153336.tif 000002
【特許請求の範囲】
【請求項１】
システムキッチンの最下段の引き出しスペースに設置され、冷却方式にペルチェ素子を利用した電子冷蔵庫において、前面を開口した貯蔵室の左右どちらか一方に前記貯蔵室を冷却するための冷却ユニットを集中配置し、前記貯蔵室は、固定レールと前後方向にスライド可能に前記固定レールに支持される中間レール、可動レールとからなるレール機構を左右の内側壁下部に備え、前記貯蔵室の前面開口部を開閉する引き出し式の扉の内面には、前記レール機構と係合して前記扉の引き出しができるように前記扉を支持する受枠が固定され、前記受枠には上面を開口した容器が載せられ、前記容器の庫内攪拌用ファンモータとの対向面に、容器内に冷気を循環させるための冷気循環穴を設け、前記冷却ユニットを収納する機械室の前面に前記冷却ユニットの放熱部を冷却する空気の吸い込み口を設け、前記機械室と連通して前記冷却ユニットの放熱器と熱交換した空気を前記貯蔵室の下部から前方に排出する排気ダクトを前記貯蔵室の下部に設けたことを特徴とするシステムキッチン組み込み式冷蔵庫。
【請求項２】
貯蔵用容器の内部に仕切り板を設け、前記仕切り板で風路を構成したことを特徴とする請求項１に記載のシステムキッチン組み込み式冷蔵庫。
【請求項３】
貯蔵室と容器との間に隙間を形成し風路としたことを特徴とする請求項１または２に記載のシステムキッチン組み込み式冷蔵庫。
【発明の詳細な説明】
【技術分野】
【０００１】
本発明はシステムキッチンの一区画の下部空間に収納できるよう構成した冷蔵庫の収納形態及びその構成に関するものである。
【背景技術】
【０００２】
従来システムキッチン等に収納される機器としては、電気式レンジオーブン・テーブル、ガス式オーブン・テーブル、食器洗い乾燥機、生ごみ処理機等が主なものである。特に最近は食器洗い乾燥機でも、ボックス状の収納部が引き出し式であるものが主流となり、収納部についても、上段から下段まで引き出し式の収納部となっている。
【０００３】
しかし、その収納部の中でもシンク下については、シンク用の給排水配管があり、例えば、その部分については、他の引き出し収納部より奥行きが狭い空間となっている。システムキッチンの他の区画には保冷庫を設置している例はある（特許文献１参照）。
【０００４】
図７は、特許文献１に記載されたシステムキッチン用の保冷庫を示すものである。図７に示すように、台所収納体の組付け空間１に組み込まれる外ケース２に出し入れされる容器状の収納体３と、ペルチェ素子４、送風ファン５、及び熱交換器６等で構成し、容器状の収納体を周囲温度より低い温度にした保冷庫をシステムキッチンの収納部の一部に配設することで、食品の変質や味落ちを防止できる。また保冷庫の左右に熱交換器用の空気導入経路７と排気経路８を配設することでシステムキッチンの収納部に収まった状態でも吸排気スペースを確保できる。
【特許文献１】特開２００３−１６１５６５号公報
【発明の開示】
【発明が解決しようとする課題】
【０００５】
しかしながら、上記従来構成では、シンク下に設置した場合、奥側にシンク用の給排水管がある為、冷却ユニットを収納空間の奥側に設けると奥行きのない収納部となり、また機械室の吸排気口を左右に設置すると十分に面積が確保されないという課題を有していた。
【０００６】
また、上記従来構成では、容器状の収納体に冷気循環穴と風路がないため、食品詰め込み時に十分な風路が確保できず、容器内全体に冷気を行き渡らせることができないという課題を有していた。
【０００７】
本発明は、上記従来の課題を解決するもので、システムキッチンのシンク下部の、奥側に給排水管がある空間に収納でき、機械室の給排気が十分に行え、容器内の冷却効率を高めることを目的とする。
【課題を解決するための手段】
【０００８】
上記従来の課題を解決するために、本発明のシステムキッチン組み込み式冷蔵庫は、システムキッチンの最下段の引き出しスペースに設置され、冷却方式にペルチェ素子を利用した電子冷蔵庫において、前面を開口した貯蔵室の左右どちらか一方に前記貯蔵室を冷却するための冷却ユニットを集中配置し、前記貯蔵室は、固定レールと前後方向にスライド可能に前記固定レールに支持される中間レール、可動レールとからなるレール機構を左右の内側壁下部に備え、前記貯蔵室の前面開口部を開閉する引き出し式の扉の内面には、前記レール機構と係合して前記扉の引き出しができるように前記扉を支持する受枠が固定され、前記受枠には上面を開口した容器が載せられ、前記容器の庫内攪拌用ファンモータとの対向面に、容器内に冷気を循環させるための冷気循環穴を設け、前記冷却ユニットを収納する機械室の前面に前記冷却ユニットの放熱部を冷却する空気の吸い込み口を設け、前記機械室と連通して前記冷却ユニットの放熱器と熱交換した空気を前記貯蔵室の下部から前方に排出する排気ダクトを前記貯蔵室の下部に設けたものである。
【０００９】
これによって、システムキッチンの奥面に給排水配管のある最下段の空間における奥行き方向の収納スペースを確保し、前記容器内の食品を均一に冷却することができる。
【発明の効果】
【００１０】
本発明の冷蔵庫は、システムキッチン内の限られた空間において、システムキッチンの枠内に簡単にビルトイン設置でき、また奥行き方向の収納量と食品詰め込み時の容器内の風路を確保することができる。
【発明を実施するための最良の形態】
【００１１】
請求項１に記載の発明は、システムキッチンの最下段の引き出しスペースに設置され、冷却方式にペルチェ素子を利用した電子冷蔵庫において、前面を開口した貯蔵室の左右どちらか一方に前記貯蔵室を冷却するための冷却ユニットを集中配置し、前記貯蔵室は、固定レールと前後方向にスライド可能に前記固定レールに支持される中間レール、可動レールとからなるレール機構を左右の内側壁下部に備え、前記貯蔵室の前面開口部を開閉する引き出し式の扉の内面には、前記レール機構と係合して前記扉の引き出しができるように前記扉を支持する受枠が固定され、前記受枠には上面を開口した容器が載せられ、前記容器の庫内攪拌用ファンモータとの対向面に、容器内に冷気を循環させるための冷気循環穴を設け、前記冷却ユニットを収納する機械室の前面に前記冷却ユニットの放熱部を冷却する空気の吸い込み口を設け、前記機械室と連通して前記冷却ユニットの放熱器と熱交換した空気を前記貯蔵室の下部から前方に排出する排気ダクトを前記貯蔵室の下部に設けたものであり、断熱箱体と冷却ユニットと吸排気ダクトを効率的に収納することで、設置スペースの有効利用を図るとともに、貯蔵室内を効率的に冷却できる。
【００１２】
請求項２に記載の発明は、請求項１に記載の冷蔵庫において、貯蔵用容器の内部に仕切り板を設け、前記仕切り板で風路を構成したものであり、食品の詰め込み時にも風路を確保することができ、容器内の食品を均一に冷却することができる。
【００１３】
請求項３に記載の発明は、請求項１または２に記載の発明において、貯蔵室と容器との間に隙間を形成し風路としたものであり、貯蔵室を隅々に渡って均一に冷却することができる。
【００１４】
以下、本発明の実施の形態について、図面を参照しながら説明する。なお、実施の形態によってこの発明が限定されるものではない。
【００１５】
（実施の形態１）
図１は、本発明の実施の形態１におけるシステムキッチン組立時のシステムキッチン組み込み式冷蔵庫の斜視図であり、システムキッチンは奥行き・幅・高さなどで様々な種類があり、調理などをするワークトップ９はシステムキッチンの外枠１０の上部に構成されており、ワークトップにはシンク１１、その下に引き出し収納スペース１２、その下に本発明のシステムキッチン組み込み式冷蔵庫１３で構成されている。システムキッチン組み込み式冷蔵庫の前面には、意匠パネルドアを形成する化粧板１４Ａ、吸込み口付き化粧板１４Ｂが構成されている。このような構成をすることにより、システムキッチンの外観を損なわずにシステムキッチン組み込み式冷蔵庫１３を組み込むことができる。
【００１６】
図２は同実施の形態のシステムキッチン組み込み式冷蔵庫を前面に引き出したときの斜視図であり、システムキッチン組み込み式冷蔵庫１３は大きくは収納部１５、機械室１６で構成されている。収納部１５は収納ケース１５Ａで構成され、収納ケース１５Ａの四隅には庫内の冷気を循環させ、収納ケース１５Ａ内部の温度を均一にするための冷気循環穴１５Ｂが複数あり、収納ケース１５Ａの中には収納ケース内風路を形成するために仕切り１５Ｃが取り付けられている。収納部１５の前面には断熱扉１７があり断熱扉１７にはシステムキッチン外観を統一するために化粧板１４Ａが取り付けられている。機械室１６の前面には吸込みグリル１４Ｃを一体成形した吸込み口付き化粧板１４Ｂが取り付けられている。
【００１７】
図３は同実施の形態のシステムキッチン組み込み式冷蔵庫の部分斜視図であり、機械室１６は、冷却ユニット１８の放熱器１９、ファンモータ２０、電源制御基板２１、蒸発皿２２、排気ダクト１６Ａで構成されている。収納部１５の庫内２３は冷却ユニット１８の冷却器２４と庫内２３を分ける庫内カバー２５、庫内攪拌用ファンモータ２６、収納ケース１５Ａを前後方向にスライドさせるレール２７で収納部１５の庫内を構成している。レール２７には固定レール２７Ａ、図示しない中間レール２７Ｂ、可動レール２７Ｃで構成されている。また収納部１５の断熱壁内には、真空断熱材２８Ａ、２８Ｂが設置されている。これにより、上下面の断熱壁の厚みを薄くすることができ収納容積の増加が見込める。
【００１８】
図４は同実施の形態のシステムキッチン組み込み式冷蔵庫の冷却ユニットの断面図であり、ペルチェ素子２９、冷却器２４とペルチェ素子２９の熱交換をさせるためのヒートコンダクタ３０、ペルチェ素子２９によって出された熱を排熱するための高温側の放熱器１９、冷却器２４、ペルチェ素子２９、ヒートコンダクタ３０、放熱器１９を連結するケースコンダクタ３１で構成されている。
【００１９】
図５は同実施の形態のシステムキッチン組み込み式冷蔵庫の機械室の斜視図であり、放熱器１９の前方には埃除去用のフィルター３２が設置されており、このフィルター３２は放熱器１９、ファンモータ２０、電源制御基板２１への埃，油分の付着を防ぐ役割をしている。フィルター３２の後方には、スイッチ３３が設置されており冬季、長期外出等冷蔵庫を使用しない場合はこのスイッチ３３でシステムキッチン組み込み式冷蔵庫１３を停止させることができる。
【００２０】
図６は同実施の形態のシステムキッチン組み込み式冷蔵庫の収納部を引き出したときの斜視図であり、断熱扉１７には収納ケース１５Ａを支持するガイドレール３４があり、ガイドレール３４と移動レール２７Ｃは連結固定されている。
【００２１】
さらに、システムキッチン組み込み式冷蔵庫１３は、温度の設定により保冷庫や乾燥庫、温蔵庫としても使用することができる。
【００２２】
次に、同実施の形態において動作を説明する。機械室１６において、吸込み口付き化粧板１４Ｂから吸込まれた空気はフィルター３２を通過し埃除去され、ペルチェ素子２９から出された熱を放熱器１９と熱交換し、ファンモータ２０により吸込まれ、電源制御基板２１を冷却する。放熱器１９と電源制御基板２１と熱交換した高温空気は下部の排気ダクト１６Ａに導かれ、蒸発皿２２を通過して庫内からのドレン水を蒸発させ、台所空間に放出される。また収納部１５側は、庫内攪拌用ファンモータ２６から吐出された冷気が収納部１５の奥面を通り収納ケース１５Ａの複数の冷気循環穴１５Ｂより収納ケース１５Ａ内に流入し庫内カバーの吸込み口から吸入され、冷却器２４で再び吸熱されて収納ケース１５Ａに送風する。
【００２３】
さらに、収納ケース１５Ａの内部に仕切り１５Ｃを取り付けることで、食品詰め込み時にも収納ケース１５Ａ内部に風路を確保することができる。
【００２４】
また、仕切り１５Ｃの位置を前後方向に移動可能にすることで、収納ケース１５Ａ内の食品の整理をすることができる。
【００２５】
また、冷蔵庫１３は、温度の設定により保冷庫や乾燥庫、温蔵庫としても使用することができる。
【００２６】
また、ファンモータ２０、電源制御基板２１を一体にしておけば、システムキッチン組み込み式冷蔵庫１３を取り出さなくても、メンテナンス時に電気部品を前面から取り外すことができる。
【産業上の利用可能性】
【００２７】
以上のように、本発明にかかる冷蔵庫は、限られた空間を有効に活用できるのでシステムキッチンなどのビルトイン機器に適用できる。
【図面の簡単な説明】
【００２８】
【図１】本発明の実施の形態１におけるシステムキッチン組立時のシステムキッチン組み込み式冷蔵庫の斜視図
【図２】同実施の形態のシステムキッチン組み込み式冷蔵庫を前面に引出した時の斜視図
【図３】同実施の形態のシステムキッチン組み込み式冷蔵庫の部分斜視図
【図４】同実施の形態のシステムキッチン組み込み式冷蔵庫の冷却ユニットの断面図
【図５】同実施の形態のシステムキッチン組み込み式冷蔵庫の機械室の斜視図
【図６】同実施の形態のシステムキッチン組み込み式冷蔵庫の収納部を引き出したときの斜視図
【図７】従来のシステムキッチン組み込み式保冷庫の斜視図
【符号の説明】
【００２９】
１３  システムキッチン組み込み式冷蔵庫
１４Ｃ  グリル
１５Ａ  収納ケース
１６Ａ  排気ダクト
１８  冷却ユニット
１９  放熱器
２２  蒸発皿
２７Ａ  固定レール
２７Ｂ  中間レール
２７Ｃ  可動レール
２８Ａ  真空断熱材Ａ
２８Ｂ  真空断熱材Ｂ
２９  ペルチェ素子
３２  フィルター
３３  スイッチ
３４  ガイドレール
【図１】
2006153336.tif 000003
【図２】
2006153336.tif 000004
【図３】
2006153336.tif 000005
【図４】
2006153336.tif 000006
【図５】
2006153336.tif 000007
【図６】
2006153336.tif 000008
【図７】
2006153336.tif 000009